Podtech/llm-jp-corpus-v4-ja_patent huggingface dataset:
【手続補正書】
【提出日】平成29年11月16日(2017.11.16)
【手続補正１】
【補正対象書類名】特許請求の範囲
【補正対象項目名】請求項１５
【補正方法】変更
【補正の内容】
【請求項１５】
ｍｉＲ−１２８の発現または活性を増加させることができる前記薬剤が、化学的に安定化されたｍｉＲ−１２８、ｍｉＲ−１２８模倣物、ｍｉＲ−１２８をコードする核酸およびｍｉＲ−１２８をコードするウイルスベクターからなる群から選択される、請求項１４に記載の組成物。
【手続補正２】
【補正対象書類名】明細書
【補正対象項目名】００１２
【補正方法】変更
【補正の内容】
【００１２】
一実施形態では、薬剤がｍｉＲ−１２８である、またはｍｉＲ−１２８と９０％以上の配列相同性を有する薬剤である。特定の実施形態では、ｍｉＲ−１２８を増加させるおよび／または活性化することができる薬剤が、化学的に安定化されたｍｉＲ−１２８、ｍｉＲ−１２８模倣物、ｍｉＲ−１２８をコードする核酸およびｍｉＲ−１２８をコードするウイルスベクターからなる群から選択される。一実施形態では、ｍｉＲ−１２８を増加させるおよび／または活性化することができる薬剤が、脳由来神経栄養因子である。
【手続補正３】
【補正対象書類名】明細書
【補正対象項目名】００２４
【補正方法】変更
【補正の内容】
【００２４】
図３は、ｍｉＲ−１２８欠損によって引き起こされた異常な運動活動が、薬理学的ＥＲＫ阻害または異所性ｍｉＲ−１２８発現によって修正されることを示す。
（Ａ）Ｄｒｇ１ａ−ｃｒｅ；ｍｉＲ−１２８−２ｆｌ／ｆｌおよび同腹子対照マウスに、ビヒクルまたは１２ｍｇ／ｋｇのＭＥＫ１阻害剤ＳＬ３２７のいずれかを腹腔内注射した（ｎ＝５／群）。薬物注射３０分後のＥＲＫ２リン酸化のウエスタンブロット解析（左）およびビヒクルまたはＳＬ３２７注射後の運動活動（右）を示す。二元配置分散分析、引き続いてボンフェローニポストテスト。エラーバーは、平均値の標準誤差、＊ｐ≦０．０５、＊＊ｐ≦０．０１、＊＊＊ｐ≦０．００１を示す。
（Ｂ）ｍｉＲ−１２８の過剰発現が、ドーパミン枯渇線条体においてＤ１−ニューロン反応性亢進を抑制する。片側性６−ＯＨＤＡ損傷Ｃａｍｋ２ａ−ｃｒｅ；Ｒｏｓａ−ｍｉＲ−１２８または対照マウス（ｎ＝１１／群）におけるベースラインでのおよびコカイン（１０ｍｇ／ｋｇ）またはＤ１−アゴニストＳＫＦ８１２９７（５ｍｇ／ｋｇ）に反応した反対側回転の数を示す。エラーバーは平均値の標準誤差、ウェルチのｔ検定、＊＊ｐ≦０．０１を示す。
（Ｃ）ｍｉＲ−１２８がマウスの化学的誘発発作に対する感受性を低下させる。痙攣誘発薬（ｐｒｏ−ｃｏｎｖｕｌｓｉｖｅ  ｄｒｕｇ）カイニン酸（３０ｍｇ／ｋｇ、ｐ値＝０．００５）またはピクロトキシン（３ｍｇ／ｋｇ、ｐ値＝０．０４）の腹腔内注射６０分後に強直間代発作を示すＣａｍｋ２ａ−ｃｒｅ；Ｒｏｓａ−ｍｉＲ−１２８または同腹子対照マウス（ｎ＝１２／群）の数を示す。ｐ値はフィッシャーの正確確率検定によって計算した。
【手続補正４】
【補正対象書類名】明細書
【補正対象項目名】００３２
【補正方法】変更
【補正の内容】
【００３２】
図１１は、異所性発現ｍｉＲ−１２８による致死的てんかんおよび活動亢進の用量依存的救済を示す。ｍｉＲ−１２８の異所性発現は、用量依存的様式で、Ｃａｍｋ２ａ−ｃｒｅ；ｍｉＲ−１２８−２ｆｌ／ｆｌマウスの自発運動亢進を正常化し、死亡を防ぐ。（左側パネル）異所性発現ｍｉＲ−１２８の１つ（淡青色）または２つ（濃青色）の対立遺伝子の不在（黒色）または存在下でのＣａｍｋ２ａ−ｃｒｅ；ｍｉＲ−１２８−２ｆｌ／ｆｌマウスの寿命を示す。（右側パネル）Ｃａｍｋ２ａ−ｃｒｅ；ｍｉＲ−１２８−２ｆｌ／ｆｌ；Ｒｏｓａ−ｍｉＲ−１２８（青色）、Ｃａｍｋ２ａ−ｃｒｅ；ｍｉＲ−１２８−２ｆｌ／ｆｌ（黒色）および野生型マウス（白色）の運動活動を示す。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
治療が必要な患者の状態を治療する方法に用いるための動物性タンパク質非含有ボツリヌス毒素組成物であって、
前記方法が、治療有効量の前記動物性タンパク質非含有ボツリヌス毒素組成物を局所に投与するステップを含み、
前記動物性タンパク質非含有ボツリヌス毒素組成物が、下記からなる群より選択される形態：
(i) ボツリヌス毒素、ポリソルベート２０、及びメチオニンを含む液体組成物、及び
(ii) ボツリヌス毒素、ポリソルベート、及びメチオニンと、並びに、糖、糖アルコール、及びイオン化合物からなる群から選択される１つ以上の成分とを含む凍結乾燥組成物、
にあり、
前記状態が、眉間線、マリオネット線、前額の深いしわ、側方眼角線、及び任意のこれらの組み合わせからなる群から選択され、及び
前記状態の症状が、動物性タンパク質含有ボツリヌス毒素組成物より長い時間、効果的に軽減されることを特徴とする、前記動物性タンパク質非含有ボツリヌス毒素組成物。
【請求項２】
前記ボツリヌス毒素が、ボツリヌス毒素血清Ａ型、Ｂ型、Ｃ型、Ｄ型、Ｅ型、Ｆ型、及びＧ型からなる群から選択される、請求項１に記載の動物性タンパク質非含有ボツリヌス毒素組成物。
【請求項３】
前記動物性タンパク質非含有ボツリヌス毒素組成物が、前記患者中で動物性タンパク質含有ボツリヌス毒素組成物より長く持続する、請求項１又は２に記載の動物性タンパク質非含有ボツリヌス毒素組成物。
【請求項４】
前記状態の症状の効果的軽減が、皺縮筋及び／または鼻根筋活動と関係する中等度から重度の眉間線の外観の一時的な改善である、請求項１〜３のいずれかに記載の動物性タンパク質非含有ボツリヌス毒素組成物。
【請求項５】
前記動物性タンパク質非含有組成物が、少なくとも１６週間の期間、効果的軽減をもたらす、請求項４に記載の動物性タンパク質非含有ボツリヌス毒素組成物。
【請求項６】
前記状態の症状の効果的軽減が、眼輪筋活動と関係する中等度から重度の側方眼角線の外観の一時的な改善である、請求項１〜５のいずれかに記載の動物性タンパク質非含有ボツリヌス毒素組成物。
【請求項７】
前記動物性タンパク質非含有組成物が、少なくとも１６週間の期間、効果的軽減をもたらす、請求項６に記載の動物性タンパク質非含有ボツリヌス毒素組成物。
【請求項８】
治療が必要な患者の状態を治療する方法に用いるための動物性タンパク質非含有ボツリヌス毒素組成物であって、
前記方法が、治療有効量の前記動物性タンパク質非含有ボツリヌス毒素組成物を局所に投与するステップを含み、
前記動物性タンパク質非含有ボツリヌス毒素組成物が、下記からなる群より選択される形態：
(i) ボツリヌス毒素、ポリソルベート２０、及びメチオニンを含む液体組成物、及び
(ii) ボツリヌス毒素、ポリソルベート、及びメチオニンと、並びに、糖、糖アルコール、及びイオン化合物からなる群から選択される１つ以上の成分とを含む凍結乾燥組成物、
にあり、
前記状態が、眉間線、マリオネット線、前額の深いしわ、側方眼角線、及び任意のこれらの組み合わせからなる群から選択され、
前記状態の少なくとも１つの症状の軽減を維持するのに効果的な、第１の治療と第２の治療の間の時間間隔で投与され、これは、前記動物性タンパク質非含有組成物と同じ量で投与され、同じ方法で同じ部位（複数の部位を含む）に投与される動物性タンパク質含有ボツリヌス毒素組成物の時間間隔より長い、前記動物性タンパク質非含有ボツリヌス毒素。
【請求項９】
前記ボツリヌス毒素が、ボツリヌス毒素血清Ａ型、Ｂ型、Ｃ型、Ｄ型、Ｅ型、Ｆ型、及びＧ型からなる群から選択される、請求項８に記載の動物性タンパク質非含有ボツリヌス毒素組成物。
【請求項１０】
第１の治療と第２の治療の間の時間間隔が、３ヶ月より長い、請求項８又は９に記載の動物性タンパク質非含有ボツリヌス毒素。
【誤訳訂正書】
【提出日】平成30年10月26日(2018.10.26)
【誤訳訂正１】
【訂正対象書類名】明細書
【訂正対象項目名】００９１
【訂正方法】変更
【訂正の内容】
【００９１】
好ましい実施形態において、第１の薬理活性成分（Ａ１）はオピオイドであり、第２の薬理活性成分（Ａ２）は別の鎮痛薬であるが、好ましくはオピオイドではなく、例えばＮＳＡＩＤまたはＣＯＸ−２−インヒビターである。
【誤訳訂正２】
【訂正対象書類名】明細書
【訂正対象項目名】００９３
【訂正方法】変更
【訂正の内容】
【００９３】
なお別の好ましい実施形態において、第１の薬理活性成分（Ａ１）は鎮痛薬であるが、好ましくはオピオイドではなく、例えばＮＳＡＩＤまたはＣＯＸ−２−インヒビターであり、第２の薬理活性成分（Ａ２）はオピオイドである。
【誤訳訂正３】
【訂正対象書類名】明細書
【訂正対象項目名】００９５
【訂正方法】変更
【訂正の内容】
【００９５】
この実施形態によると、好ましくは、第１の薬理活性成分（Ａ１）はオピオイドであり、更なる薬理活性成分（Ａｆ）は別の鎮痛薬であるが、好ましくはオピオイドではなく、例えばＮＳＡＩＤまたはＣＯＸ−２−インヒビターである。
【誤訳訂正４】
【訂正対象書類名】明細書
【訂正対象項目名】００９７
【訂正方法】変更
【訂正の内容】
【００９７】
なお更に、この実施形態によると、好ましくは、第１の薬理活性成分（Ａ１）は鎮痛薬であるが、好ましくはオピオイドではなく、例えばＮＳＡＩＤまたはＣＯＸ−２−インヒビターであり、更なる薬理活性成分（Ａｆ）はオピオイドである。
【誤訳訂正５】
【訂正対象書類名】明細書
【訂正対象項目名】００９９
【訂正方法】変更
【訂正の内容】
【００９９】
この実施形態によると、第２の薬理活性成分（Ａ２）はオピオイドであり、更なる薬理活性成分（Ａｆ）は別の鎮痛薬であるが、好ましくはオピオイドではなく、例えばＮＳＡＩＤまたはＣＯＸ−２−インヒビターである。
【誤訳訂正６】
【訂正対象書類名】明細書
【訂正対象項目名】０１０１
【訂正方法】変更
【訂正の内容】
【０１０１】
なお更に、この実施形態によると、好ましくは、第２の薬理活性成分（Ａ２）は鎮痛薬であるが、好ましくはオピオイドではなく、例えばＮＳＡＩＤまたはＣＯＸ−２−インヒビターであり、更なる薬理活性成分（Ａｆ）はオピオイドである。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
創傷が治癒する間の瘢痕形成を低減させることにおける使用のための核酸分子であって、ここで瘢痕形成を低減させるための核酸分子の治療的有効量が、創傷の７日後と３０日後との間にヒトへ投与される、前記核酸分子。
【請求項２】
１〜５回の追加用量が、投与される、請求項１に記載の核酸分子。
【請求項３】
追加用量が、毎週投与される、請求項２に記載の核酸分子。
【請求項４】
追加用量が、２週間毎投与される、請求項２に記載の核酸分子。
【請求項５】
追加用量が、毎月投与される、請求項２に記載の核酸分子。
【請求項６】
追加用量が、毎週、２週間毎および／または毎月のいずれの組み合わせでも投与される、請求項２に記載の核酸分子。
【請求項７】
治療的有効量が、創傷の１センチメートルあたり０．１〜２０ｍｇの間である、請求項１〜６のいずれか一項に記載の核酸分子。
【請求項８】
核酸分子が、以下：トランスフォーミング増殖因子β（ＴＧＦβ１、ＴＧＦβ２）、オステオポンチン、結合組織増殖因子（ＣＴＧＦ）、血小板由来増殖因子（ＰＤＧＦ）、低酸素誘導因子−１α（ＨＩＦ１α）、コラーゲンＩおよび／またはＩＩＩ、プロリル４−ヒドロキシラーゼ（Ｐ４Ｈ）、プロコラーゲンＣ−プロテアーゼ（ＰＣＰ）、マトリックスメタロプロテイナーゼ２、９（ＭＭＰ２、９）、インテグリン類、コネキシン、ヒスタミンＨ１受容体、組織トランスグルタミナーゼ、哺乳類ラパマイシン標的（ｍＴＯＲ）、ＨｏｘＢ１３、ＶＥＧＦ、ＩＬ−６、ＳＭＡＤタンパク質、リボソームタンパク質Ｓ６キナーゼ（ＲＳＰ６）およびシクロオキシゲナーゼ−２（ＣＯＸ−２）からなる群から選択されるタンパク質をコードする遺伝子に対して指向する、請求項１〜７のいずれか一項に記載の核酸分子。
【請求項９】
核酸分子が、ＣＴＧＦに対して指向し、任意に、核酸分子が、ｓｉＲＮＡ分子である、請求項８に記載の核酸分子。
【請求項１０】
核酸分子が、Ｇ．ｍＣ．Ａ．ｍＣ．ｍＣ．ｍＵ．ｍＵ．ｍＵ．ｍＣ．ｍＵ．Ａ＊ｍＧ＊ｍＡ．ＴＥＧ−Ｃｈｌ（配列番号１）のセンス鎖配列およびＰ．ｍＵ．ｆＣ．ｆＵ．Ａ．Ｇ．ｍＡ．Ａ．ｍＡ．Ｇ．Ｇ．ｆＵ．Ｇ．ｍＣ＊Ａ＊Ａ＊Ａ＊ｍＣ＊Ａ＊Ｕ（配列番号２）のアンチセンス鎖配列を含むＲＸＩ−１０９である、請求項９に記載の核酸分子。
【請求項１１】
瘢痕形成が、皮膚の瘢痕形成または眼の瘢痕形成である、請求項１〜１０のいずれか一項に記載の核酸分子。
【請求項１２】
核酸分子が、
（ｉ）皮膚への送達用に製剤化された組成物中にある；
（ｉｉ）局所送達用に製剤化された組成物中にある；
（ｉｉｉ）皮内注射用に製剤化された組成物中にある；
（ｉｖ）目への送達用に製剤化された組成物中にある；または
（ｖ）硝子体内注射用または網膜下注射用に製剤化された組成物中にある、
請求項１〜１１のいずれか一項に記載の核酸分子。
【請求項１３】
少なくとも第２核酸分子をさらに含み、ここで第２核酸分子が、核酸分子とは異なる遺伝子に対して指向する、請求項１〜１２のいずれか一項に記載の核酸分子。
【請求項１４】
核酸分子が、ヌクレオチドから構成され、および、ヌクレオチドの少なくとも３０％が、化学修飾されており、任意に、ヌクレオチドのうち少なくとも１つが、ＯＭｅ、２’ＭＯＥ（メトキシ）および２’フルオロから選択される２’化学修飾を含有する、請求項１〜１３のいずれか一項に記載の核酸分子。
【請求項１５】
核酸分子が、少なくとも１つの修飾された主鎖連結部を有し、および、主鎖連結部のうち少なくとも２つが、ホスホロチオアート連結部を含有する、請求項１〜１４のいずれか一項に記載の核酸分子。
【誤訳訂正書】
【提出日】平成30年9月19日(2018.9.19)
【誤訳訂正１】
【訂正対象書類名】特許請求の範囲
【訂正対象項目名】全文
【訂正方法】変更
【訂正の内容】
【特許請求の範囲】
【請求項１】
アダマンタンアミドの製造方法であって、
ｉ．水溶液中におけるアルキルアミンの濃度が０．１Ｍ〜１．０ＭであってｐＨが８〜１４となるのに十分な水の中で、０．９モル当量〜１モル当量のアルキルアミンと、１．０モル当量〜１．５モル当量の塩基とを混合する工程、
ｉｉ．前記混合物を５０℃〜９０℃の範囲の温度まで加熱して、アルキルアミンの加熱した水性塩基性溶液を得る工程、
ｉｉｉ．１モル当量のアダマンタンカルボニルクロリドを前記アルキルアミンの加熱した水性塩基性溶液に添加して二相性混合物を得る工程、
ｉｖ．前記アルキルアミンと前記アダマンタンカルボニルクロリドの二相性混合物を撹拌して５０℃〜９０℃の範囲の温度に維持し、アダマンタンアミドを得る工程、
ｖ．前記反応混合物を撹拌して３０℃を下回るまで冷却し、前記反応混合物から前記アダマンタンアミド生成物を沈殿させる工程、並びに
ｖｉ．前記アダマンタンアミド生成物を前記反応混合物から分離する工程、
を含む、アダマンタンアミドの製造方法。
【請求項２】
前記方法が、前記反応混合物中の残留アダマンタンカルボン酸塩を再利用し、アダマンタンカルボニルクロリドへと変換する追加工程を更に含む、請求項１に記載の方法。
【請求項３】
前記アルキルアミンが、二級または一級の、直鎖若しくは分岐鎖又は環状の、置換された又は非置換のものである、請求項１または２に記載の方法。
【請求項４】
前記アルキルアミンが、下記：
【化１】
2016540774.tif 000001
2016540774.tif 000002
（式中、ｔは１〜８の整数であり、
Ｙは、
【化２】
2016540774.tif 000003
各Ｒ１は独立して水素またはＣ１〜４のアルキルである）
からなる群より選択される、請求項３に記載の方法。
【請求項５】
前記アダマンタンアミドが、下記式Ｉ：
【化３】
2016540774.tif 000004
（式中、Ｘは、
【化４】
2016540774.tif 000005
2016540774.tif 000006
2016540774.tif 000007
2016540774.tif 000008
（式中、ｔは１〜８の整数であり、
Ｙは、
【化５】
2016540774.tif 000009
各Ｒ１は独立して水素またはＣ１〜４のアルキルである）
からなる群より選択される）
を有する化合物であるか、または、下記式ＩＩ：
【化６】
2016540774.tif 000010
（式中、各Ｒは独立して水素、メチル、エチル、又はＣ３〜Ｃ１０の直鎖又は分岐鎖のアルキル基であり、但し両方のＲ基が同時に水素ではない。）
を有する化合物である、請求項１〜３のいずれか１項に記載の方法。
【請求項６】
前記塩基が無機塩基である、請求項１又は２に記載の方法。
【請求項７】
前記塩基がアルカリ金属水酸化物、炭酸塩、及びそれらの混合物からなる群から選択される、請求項６に記載の方法。
【請求項８】
前記塩基が水酸化ナトリウムである、請求項６に記載の方法。
【請求項９】
前記工程（ｉｉ）および／または工程（ｉｖ）における前記温度が５５℃〜８０℃の範囲である、請求項１〜８のいずれか一項に記載の方法。
【請求項１０】
工程（ｉ）における前記ｐＨが１０〜１２の範囲である、請求項１〜９のいずれか一項に記載の方法。
【請求項１１】
前記工程（ｉｖ）が１５分〜２時間持続する、請求項１〜１０のいずれか一項に記載の方法。
【請求項１２】
工程（ｉｉｉ）で添加されるアダマンタンカルボニルクロリドが予め融解されている、請求項１〜１１のいずれか一項に記載の方法。
【請求項１３】
工程（ｉｉｉ）で添加されるアダマンタンカルボニルクロリドが固体として徐々に添加される、請求項１〜１１のいずれか一項に記載の方法。
【手続補正書】
【提出日】平成29年11月24日(2017.11.24)
【手続補正１】
【補正対象書類名】特許請求の範囲
【補正対象項目名】請求項８
【補正方法】変更
【補正の内容】
【請求項８】
メントールとヒドロキシプロピルメチルセルロースとの重量比が１：５〜４：１の範囲である、請求項１〜７のいずれか一項に記載の組成物。
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
ナルメフェンまたはその薬学的に許容される塩、およびボルチオキセチンまたはその薬学的に許容される塩を、薬学的に許容される添加剤と一緒に含む医薬組成物。
【請求項２】
１〜３０ｍｇのナルメフェンまたはその薬学的に許容される塩を含む、請求項１に記載の医薬組成物。
【請求項３】
５〜２０ｍｇのナルメフェンまたはその薬学的に許容される塩を含む、請求項２に記載の医薬組成物。
【請求項４】
１８ｍｇのナルメフェンまたはその薬学的に許容される塩を含む、請求項３に記載の医薬組成物。
【請求項５】
１〜３０ｍｇのボルチオキセチンまたはその薬学的に許容される塩に含む、請求項１〜４のいずれかに医薬組成物。
【請求項６】
５〜２０ｍｇのボルチオキセチンまたはその薬学的に許容される塩を含む、請求項５に記載の医薬組成物。
【請求項７】
５，１０，１５，または２０ｍｇのボルチオキセチンまたはその薬学的に許容される塩を含む、請求項６に記載の医薬組成物。
【請求項８】
１〜３０ｍｇのナルメフェンまたはその薬学的に許容される塩、および１〜３０ｍｇのボルチオキセチンまたはその薬学的に許容される塩を含む、請求項１に記載の医薬組成物。
【請求項９】
５〜２０ｍｇのナルメフェンまたはその薬学的に許容される塩、および５〜２０ｍｇのボルチオキセチンまたはその薬学的に許容される塩を含む、請求項８に記載の医薬組成物。
【請求項１０】
ナルメフェンまたはその薬学的に許容される塩を、ボルチオキセチンまたはその薬学的に許容される塩と一緒に含むキット。
【請求項１１】
前記ナルメフェンまたはその薬学的に許容される塩と、前記ボルチオキセチンまたはその薬学的に許容される塩との同時投与に適応している、請求項１０に記載のキット。
【請求項１２】
前記ナルメフェンまたはその薬学的に許容される塩と、前記ボルチオキセチンまたはその薬学的に許容される塩との別々の投与に適応している、請求項１０に記載のキット。
【請求項１３】
メランコリアの特徴を伴う抑うつ障害の処置方法における使用のためのナルメフェンまたはその薬学的に許容される塩とボルチオキセチンまたはその薬学的に許容される塩。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
５０〜１，０００ｍｇの間の重量を有する口腔内崩壊固体医薬単位剤形であって、
４〜９５ｗｔ％の顆粒と、
５〜９６ｗｔ％の、１つ又は複数の薬学的に許容される賦形剤と
からなり、
前記顆粒は、
３〜８０ｗｔ％の、エステトロール、エステトロールエステル、及びそれらの組み合わせから選択されるエステトロール成分、
２０〜９７ｗｔ％のＣ４〜Ｃ１２糖アルコール、
０〜４５ｗｔ％の、１つ又は複数の他の薬学的に許容される成分
からなり、
固体医薬単位剤形は少なくとも０．１ｍｇのエステトロール成分を含む、固体単位剤形。
【請求項２】
前記エステトロール成分が、エステトロールである、請求項１に記載の固体単位剤形。
【請求項３】
前記エステトロール成分が、無水エステトロールである、請求項１に記載の固体単位剤形。
【請求項４】
前記顆粒が、単位剤形の５〜９０ｗｔ％の間を占める、請求項１〜３のいずれか一項に記載の固体単位剤形。
【請求項５】
前記顆粒が、３０〜２００μｍの間の体積加重平均サイズを有する、請求項１〜４のいずれか一項に記載の固体単位剤形。
【請求項６】
前記顆粒が、４０〜１５０μｍの間の体積加重平均サイズを有する、請求項１〜４のいずれか一項に記載の固体単位剤形。
【請求項７】
前記Ｃ４〜Ｃ１２糖アルコールが、マンニトール、エリスリトール、イソマルト、及びそれらの組み合わせから選択される、請求項１〜６のいずれか一項に記載の固体単位剤形。
【請求項８】
前記１つ又は複数の薬学的に許容される賦形剤が、少なくとも３０重量％の前記１つ又は複数の薬学的に許容される賦形剤の粒子を含み、前記粒子がＣ４〜Ｃ６糖アルコールを含有するマトリクス中に分散している崩壊剤を含有する、請求項１〜７のいずれか一項に記載の固体単位剤形。
【請求項９】
前記粒子が、１０〜５０ｗｔ％の崩壊剤と、４０〜９０ｗｔ％のＣ４〜Ｃ６糖アルコールとを含有する、請求項８に記載の固体単位剤形。
【請求項１０】
前記崩壊剤が、クロスポビドン、ヒドロキシプロピルセルロース、クロスカルメロースナトリウム、及び結晶セルロース並びにそれらの組み合わせから選択される、請求項９に記載の固体単位剤形。
【請求項１１】
前記Ｃ４〜Ｃ６糖アルコールが、マンニトール、キシリトール、及びそれらの組み合わせから選択される、請求項８〜１０のいずれか一項に記載の固体単位剤形。
【請求項１２】
０．０５〜１０ｍｇのプロゲストゲンを含有する、請求項１〜１１のいずれか一項に記載の固体単位剤形。
【請求項１３】
医療的処置に使用するため、又は、女性ホルモン補充療法に使用するためのものであって、前記使用が、前記単位剤形の舌下、頬側、又は唇下の投与を含む、使用のための請求項１〜１２のいずれか一項に記載の固体単位剤形。
【請求項１４】
前記使用が、少なくとも１週間の期間中に、１日１回の投与を含む、請求項１３に記載の使用のための固体単位剤形。
【請求項１５】
請求項１〜１２のいずれか一項に記載の単位剤形の舌下、頬側、又は唇下の投与を含む、女性の避妊方法。
【請求項１６】
少なくとも１週間の期間中に、１日１回の投与を含む、請求項１５に記載の方法。
【請求項１７】
前記エステトロール成分、前記Ｃ４〜Ｃ１２糖アルコール、及び任意選択の１つ又は複数の他の薬学的に許容される成分の高温のポンプ注入可能混合物を提供するステップであって、前記高温のポンプ注入可能混合物が、少なくとも１０５℃の温度を有する、ステップと、
前記高温のポンプ注入可能混合物を冷却させて、Ｃ４〜Ｃ１２糖アルコールを凝固させ、前記ポンプ注入可能混合物を前記冷却前又は同冷却後に粉砕して、固体顆粒を生成するステップと、
前記顆粒と、前記１つ又は複数の薬学的に許容される賦形剤とを混合するステップと、
混合物を固体単位剤形に形成するステップとを含む、
請求項１〜１２のいずれか一項に記載の固体単位剤形を調製する方法。
【請求項１８】
前記ポンプ注入可能混合物が、少なくとも１６０℃の温度を有する、請求項１７に記載の方法。
【請求項１９】
前記温度が１８０℃〜２４０℃である、請求項１８に記載の方法。
【請求項２０】
前記高温のポンプ注入可能混合物が、噴霧冷却に供されて、固体顆粒を生成する、請求項１７〜１９のいずれか一項に記載の方法。
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
セルラーワイヤレスネットワークを介してコアネットワークのパケットゲートウェイ(P-GW)からデータパケットを受信するモバイルエンティティを、信頼できるワイヤレスアクセスネットワーク(TWAN)を介して前記P-GWから前記データパケットを受信するようにハンドオフするための方法であって、
前記モバイルエンティティのインターネットプロトコル(IP)インターフェースが前記TWANを介して前記データパケットを受信する準備が完了しているかどうかを、前記モバイルエンティティによって判断するステップと、
前記判断に基づいて、前記TWANを介して前記データパケットを受信する準備の完了を、前記モバイルエンティティからTWANゲートウェイ(TWAG)に示すステップと
を含む方法。
【請求項２】
前記判断の前に、前記コアネットワークと通信することによって、前記TWANを介してアクセスすることに関して前記モバイルエンティティを認証するステップをさらに含み、随意に、前記認証は、拡張認証プロトコル(EAP)課題応答メッセージ交換を使用して実行される、請求項1に記載の方法。
【請求項３】
少なくとも準備完了を前記示すまで、前記セルラーワイヤレスネットワークを介して前記データパケットを受信し続けるステップをさらに含み、随意に、準備完了を前記示した後、前記TWANを介して前記データパケットを受信し、前記セルラーワイヤレスネットワークを介して前記データパケットを受信することを停止するステップ、または、準備完了を前記示した後、前記TWANを介してアップリンクデータパケットを送信し、前記セルラーワイヤレスネットワークを介してアップリンクデータパケットを送信することを停止するステップをさらに含む、請求項1に記載の方法。
【請求項４】
準備完了を前記示すステップは、前記モバイルエンティティから前記TWAGにメッセージを送るステップによって実行される、請求項1に記載の方法。
【請求項５】
明示的通知のための準備完了インジケータを含むメッセージ、および黙示的通知のための準備完了インジケータのないメッセージから、前記モバイルエンティティから前記TWAGへの前記メッセージが選択される、請求項4に記載の方法。
【請求項６】
前記モバイルエンティティから前記TWAGに前記メッセージを送るステップは、EAP通知メッセージに対する拡張認証プロトコル(EAP)応答を送るステップを含む、請求項4に記載の方法。
【請求項７】
前記モバイルエンティティによって、前記EAP通知メッセージにおいて前記モバイルエンティティのIPアドレスを受信するステップをさらに含む、請求項6に記載の方法。
【請求項８】
前記セルラーワイヤレスネットワークを介する代わりに前記TWANを介して前記データパケットを受信するように前記IPインターフェースを構成するステップをさらに含み、随意に、前記セルラーワイヤレスネットワークは3GPPアクセスネットワークを含む、請求項1に記載の方法。
【請求項９】
セルラーワイヤレスネットワークを介してコアネットワークのパケットゲートウェイ(P-GW)からデータパケットを受信するモバイルエンティティを、信頼できるワイヤレスアクセスネットワーク(TWAN)を介して前記P-GWから前記データパケットを受信するようにハンドオフするための装置であって、
前記モバイルエンティティのインターネットプロトコル(IP)インターフェースが前記TWANを介して前記データパケットを受信する準備が完了しているかどうかを、前記モバイルエンティティによって判断するための手段と、
前記判断に基づいて、前記TWANを介して前記データパケットを受信する準備の完了を、前記モバイルエンティティからTWANゲートウェイ(TWAG)に示すための手段と
を含む装置。
【請求項１０】
セルラーワイヤレスネットワークを介してコアネットワークのパケットゲートウェイ(P-GW)からデータパケットを受信するモバイルエンティティを、信頼できるワイヤレスアクセスネットワーク(TWAN)を介して前記P-GWから前記データパケットを受信するようにハンドオフするための方法であって、
前記モバイルエンティティのインターネットプロトコル(IP)インターフェースが前記TWANを介して前記データパケットを受信する準備が完了していることを示す前記モバイルエンティティからの指示を、TWANゲートウェイ(TWAG)によって受信するステップと、
前記指示に応答して、前記モバイルエンティティが前記TWANを介して前記データパケットを受信する準備が完了していることを前記P-GWに通知するステップと
を含む方法。
【請求項１１】
前記受信の前に、前記モバイルエンティティおよび前記コアネットワークと通信することによって、前記TWANを介してアクセスすることに関して前記モバイルエンティティを認証するステップをさらに含み、随意に、前記認証は、拡張認証プロトコル(EAP)課題応答メッセージ交換を使用して実行される、請求項10に記載の方法。
【請求項１２】
前記通知の後、前記P-GWから前記データパケットを受信し、前記TWAGから前記モバイルエンティティに前記データパケットを送るステップをさらに含む、請求項10に記載の方法。
【請求項１３】
前記指示を受信するステップは、前記モバイルエンティティからメッセージを受信するステップを含み、随意に、明示的通知のための準備完了インジケータを含むメッセージ、および黙示的通知のための準備完了インジケータのないメッセージから、前記モバイルエンティティからの前記メッセージが選択される、または、随意に、前記モバイルエンティティから前記メッセージを受信するステップは、EAP通知メッセージに対する拡張認証プロトコル(EAP)応答を受信するステップを含み、前記モバイルエンティティに、前記EAP通知メッセージにおいて前記モバイルエンティティのIPアドレスを送るステップをさらに含む、請求項10に記載の方法。
【請求項１４】
セルラーワイヤレスネットワークを介してコアネットワークのパケットゲートウェイ(P-GW)からデータパケットを受信するモバイルエンティティを、信頼できるワイヤレスアクセスネットワーク(TWAN)を介して前記P-GWから前記データパケットを受信するようにハンドオフするための装置であって、
前記モバイルエンティティのインターネットプロトコル(IP)インターフェースが前記TWANを介して前記データパケットを受信する準備が完了していることを示す前記モバイルエンティティからの指示を、TWANゲートウェイ(TWAG)によって受信するための手段と、
前記指示に応答して、前記モバイルエンティティが前記TWANを介して前記データパケットを受信する準備が完了していることを前記P-GWに通知するための手段と
を含む装置。
【請求項１５】
請求項1から8または10から13のいずれか一項に記載の方法を実行する命令を記憶する、コンピュータ可読記憶媒体。
【誤訳訂正書】
【提出日】平成29年11月24日(2017.11.24)
【誤訳訂正１】
【訂正対象書類名】明細書
【訂正対象項目名】００２１
【訂正方法】変更
【訂正の内容】
【００２１】
（ｅ）  項目（ａ）、（ｂ）、（ｃ）、（ｄ）の上述のタングステン材料の１種以上、及び、追加のタングステン非含有材料からなる混合物または複合体材料
（ここでタングステン材料は、三酸化タングステン（ＷＯ３）、含水三酸化タングステン（ＷＯ３ｎＨ２Ｏ）、元素ドープされた三酸化タングステン（ＡｘＷＯ３）、または元素ドープされた含水三酸化タングステン（ＡｘＷＯ３ｎＨ２Ｏ）であり、
前記タングステン非含有材料は、次の材料：炭素材料、ポリマー材料、金属酸化物もしくはその塩、またはセラミック材料から選択されてもよく、
前記炭素材料としては、カーボンブラック、オニオン構造化炭素粒子（onion structured carbon particles）、活性炭、メソ多孔性炭素、カーボンナノチューブ、カーボンナノファイバー、グラファイト、グラフェン、グラフェンオキシド、またはこれらの種々の組み合わせが挙げられるが、これらに限定されず、
前記ポリマー材料としては、ポリアニリン、ポリピロール、ポリチオフェン、ポリ（３，４−エチレンジオキシチオフェン）、ポリスチレン、スルホン化ポリスチレン、またはこれらの種々の組み合わせが挙げられるが、これらに限定されず、
金属およびこれらの塩としては、チタン、バナジウム、クロム、ジルコニウム、ニオブ、モリブデン、鉛、ビスマス、またはこれらの種々の組み合わせが挙げられるが、これらに限定されず、
前記セラミック材料としては、酸化ジルコニウム、酸化ケイ素、酸化ストロンチウム、酸化アルミニウム、または種々のこれらの組み合わせが挙げられるが、これらに限定されない）；
【誤訳訂正２】
【訂正対象書類名】明細書
【訂正対象項目名】００２２
【訂正方法】変更
【訂正の内容】
【００２２】
（ｆ）  項目（ａ）、（ｂ）、（ｃ）、（ｄ）の上述のタングステン材料の１つ以上、及び、項目（ｅ）の前記混合物または複合体材料からなる混合物または複合体材料
（ここでタングステン材料は、三酸化タングステン（ＷＯ３）、含水三酸化タングステン（ＷＯ３ｎＨ２Ｏ）、元素ドープされた三酸化タングステン（ＡｘＷＯ３）または元素ドープされた含水三酸化タングステン（ＡｘＷＯ３ｎＨ２Ｏ）である）。
【誤訳訂正書】
【提出日】平成29年11月30日(2017.11.30)
【誤訳訂正１】
【訂正対象書類名】明細書
【訂正対象項目名】００７０
【訂正方法】変更
【訂正の内容】
【００７０】
従って１つの側面において本発明は、基本高分子、ドーパント及びイオン源を含む少なくとも１種の化合物を含む高分子材料を提供し、ここで高分子材料はＯＨ-イオンに関する移動性を有する固体イオン伝導性高分子材料である。本出願の目的のために、「ＯＨ-イオンに関する移動性」という用語は、２０℃〜２６℃の室温における１０-11ｃｍ2／秒より大きい拡散率又は１０-4Ｓ／ｃｍより大きい伝導率を指す。固体イオン伝導性高分子材料はアルカリ電池における使用に適している。
【誤訳訂正書】
【提出日】平成30年3月29日(2018.3.29)
【誤訳訂正１】
【訂正対象書類名】特許請求の範囲
【訂正対象項目名】全文
【訂正方法】変更
【訂正の内容】
【特許請求の範囲】
【請求項１】
工業プロセス制御又はモニタリングシステムにおいて使用するための無線フィールド装置であって、
前記フィールド装置の動作を制御するように構成された制御装置と、
遠隔地と無線通信するように構成された無線通信回路と、
前記フィールド装置に給電するように構成された内部電源と、
前記フィールド装置の近くのフレア、ポンプジャック、ポンプ、又はタンクの画像を取り込むように構成された、前記制御装置に結合された画像取り込み装置と、
前記画像取り込み装置によって取り込まれた画像の画像情報を記憶するように構成されたメモリと、を含み、
前記制御装置が、前記メモリに記憶された参照画像情報を読み出し、前記画像取り込み装置によって取り込まれた画像の前記参照画像情報からの変化を検出し、変化が検出された領域の前記画像情報を圧縮し、前記変化の量がしきい値を超えたとき、圧縮した前記画像情報を前記無線通信回路によって前記遠隔地に送信するように構成されている、無線フィールド装置。
【請求項２】
前記記憶される画像情報がベースライン画像情報を含む、請求項１記載の無線フィールド装置。
【請求項３】
前記記憶される画像情報が最新画像情報を含む、請求項１記載の無線フィールド装置。
【請求項４】
前記記憶される画像情報が圧縮画像情報を含む、請求項１記載の無線フィールド装置。
【請求項５】
前記記憶される画像情報が画像変化情報を含む、請求項１記載の無線フィールド装置。
【請求項６】
前記圧縮画像情報が非可逆圧縮画像情報を含む、請求項１記載の無線フィールド装置。
【請求項７】
前記圧縮画像情報が可逆圧縮画像情報を含む、請求項１記載の無線フィールド装置。
【請求項８】
前記圧縮画像情報が、前記画像中の、前記画像が変化した場所に関する場所情報を含む、請求項１記載の無線フィールド装置。
【請求項９】
請求項１記載の無線フィールド装置と、前記圧縮画像情報を受けるように構成された、前記遠隔地にある画像管理アプリケーションとを含む無線モニタリングシステム。
【請求項１０】
前記画像管理アプリケーションがベースライン画像を含む、請求項９記載の無線モニタリングシステム。
【請求項１１】
無線フィールド装置における画像情報送信方法であって、
前記無線フィールド装置は、制御装置と、無線通信回路と、内部電源と、画像取り込み装置と、メモリと、を含み、
前記画像取り込み装置によって、前記無線フィールド装置の近くのフレア、ポンプジャック、ポンプ、又はタンクの画像を取り込む工程と、前記制御装置によって、前記メモリに記憶された参照画像情報を読み出し、前記画像取り込み装置によって取り込まれた画像の前記参照画像情報からの変化を検出し、変化が検出された領域の前記画像情報を圧縮する工程と、
前記無線フィールド装置に対して、前記内部電源によって給電する工程と、
前記変化の量がしきい値を超えたとき、前記無線通信回路を使用して、圧縮された前記画像情報を遠隔地に送信する工程と、
を含む方法。
【請求項１２】
前記圧縮画像情報をメモリに記憶する工程を含む、請求項１１記載の方法。
【誤訳訂正２】
【訂正対象書類名】明細書
【訂正対象項目名】００１３
【訂正方法】変更
【訂正の内容】
【００１３】
「背景技術」の段落で述べたように、場合によっては、遠隔フィールド装置を取り囲む環境を視覚的にモニタすることが望ましい。一般に、そのようなモニタリングは、点検担当者を乗せた乗り物を出すことを要求し、その担当者が遠隔地まで運転して目視点検を実施しなければならない。本発明は、遠隔地にあるプロセス要素、たとえばフレア、ポンプジャック、ポンプ、タンク又はフィールド装置１４、１６に近い他の構成要素を含むことができる遠隔環境７５の画像モニタリングを提供する。これを使用して、その区域内の乗り物又は人員、ポンプ又は井戸のような設備の正しい動作、火又は煙の存在、漏出プロセス流体などに関する情報を提供することができる。
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
微生物の集団から脂質を抽出する方法であって、微生物の破砕を引き起こす条件下で１つまたは複数の酵素と微生物の集団を接触させ、接触工程が界面活性剤の非存在下において遂行されることと；低減させた量の有機溶媒の存在下において、破砕した微生物から脂質を抽出することとを含む、該方法。
【請求項２】
脂質の少なくとも６０％が微生物の集団から抽出される、請求項１に記載の方法。
【請求項３】
脂質の少なくとも９０％が微生物の集団から抽出される、請求項１に記載の方法。
【請求項４】
破砕した微生物対有機溶媒の比が１：６〜１：０．２の体積：体積である、請求項２または３に記載の方法。
【請求項５】
破砕した微生物対有機溶媒の比が１：０．２の体積：体積である、請求項４に記載の方法。
【請求項６】
前記有機溶媒がヘキサンである、請求項１〜５のいずれか一項に記載の方法。
【請求項７】
前記接触工程の前に前記微生物の集団を濃縮することを更に含む、請求項１〜６のいずれか一項に記載の方法。
【請求項８】
前記微生物の集団が遠心分離によって濃縮される、請求項７に記載の方法。
【請求項９】
前記微生物の集団が２０％の固体まで濃縮される、請求項７または８に記載の方法。
【請求項１０】
前記微生物の集団が１５％〜２０％の固体へ濃縮される、請求項７または８に記載の方法。
【請求項１１】
前記接触工程が６〜９のｐＨで遂行される、請求項１〜１０のいずれか一項に記載の方法。
【請求項１２】
前記接触工程が５５℃〜７０℃の温度で遂行される、請求項１〜１１のいずれか一項に記載の方法。
【請求項１３】
前記接触工程が７０℃以下の温度で遂行される、請求項１〜１１のいずれか一項に記載の方法。
【請求項１４】
前記接触工程が１〜２０時間遂行される、請求項１〜１３のいずれか一項に記載の方法。
【請求項１５】
前記接触工程が４時間遂行される、請求項１４に記載の方法。
【請求項１６】
前記酵素がプロテアーゼである、請求項１〜１５のいずれか一項に記載の方法。
【請求項１７】
前記酵素がアルカラーゼ２．４Ｌである、請求項１６に記載の方法。
【請求項１８】
前記酵素が０．２％〜０．４％の体積／体積の濃度である、請求項１〜１７のいずれか一項に記載の方法。
【請求項１９】
前記接触工程が、０．２％または０．４％の酵素の存在下において５５℃で１８〜２０時間遂行される、請求項１に記載の方法。
【請求項２０】
前記方法が乾燥工程を欠く、請求項１〜１９のいずれか一項に記載の方法。
【請求項２１】
前記微生物の集団が、藻類、菌類、細菌及び原生生物からなる群から選択される、請求項１〜２０のいずれか一項に記載の方法。
【請求項２２】
前記微生物の集団がＴｈｒａｕｓｔｏｃｈｙｔｒｉｕｍ属、Ｓｃｈｉｚｏｃｈｙｔｒｉｕｍ属及びその混合物から選択される、請求項１〜２０のいずれか一項に記載の方法。
【請求項２３】
前記微生物の集団が、ＡＴＣＣアクセッション番号ＰＴＡ−６２４５として寄託されたＴｈｒａｕｓｔｏｃｈｙｔｒｉｕｍ属の種である、請求項１〜２０のいずれか一項に記載の方法。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
２本鎖２次構造の１つ以上の領域を有する１本鎖ＤＮＡオリゴヌクレオチドであって、配列番号１を含み、ここで、１つ以上のチミン塩基がウラシル塩基で置換される、前記１本鎖ＤＮＡオリゴヌクレオチド
を含む、ＤＮＡポリメラーゼの可逆的阻害剤。
【請求項２】
前記２本鎖２次構造が、周囲温度においてＰＣＲ混合物中で安定である、請求項１に記載の可逆的阻害剤。
【請求項３】
配列番号２〜４から選択される、請求項１又は２に記載の可逆的阻害剤。
【請求項４】
ＤＮＡポリメラーゼの可逆的阻害剤を設計する方法であって、２本鎖２次構造の１つ以上の領域を有する１本鎖ＤＮＡオリゴヌクレオチドを設計する工程を含み、ここで、前記領域の少なくとも１つが少なくとも１つのウラシル塩基を含む、前記方法。
【請求項５】
前記ＤＮＡオリゴヌクレオチドが、オリゴヌクレオチドの混合物から、指数関数的濃縮によるリガンドの系統的進化（ＳＥＬＥＸ）を使用して選択される、請求項４に記載の方法。
【請求項６】
反応混合物中のＤＮＡポリメラーゼを可逆的に阻害する方法であって、前記反応混合物を、２本鎖２次構造の１つ以上の領域を有する１本鎖ＤＮＡオリゴヌクレオチドと接触させる工程を含み、ここで、前記領域の少なくとも１つが少なくとも１つのウラシル塩基を含む、前記方法。
【請求項７】
前記混合物をウラシル−Ｎ−グリコシラーゼと接触させる工程をさらに含む、請求項６に記載の方法。
【請求項８】
前記接触が４０〜６５℃の温度範囲で行われる、請求項６又は７に記載の方法。
【請求項９】
前記試料をポリアミンと接触させる工程をさらに含む、請求項６〜８のいずれか１項に記載の方法。
【請求項１０】
前記ポリアミンが、スペルミジン、スペルミン、及びトリメチレンジアミンから選択される、請求項９に記載の方法。
【請求項１１】
標的核酸を増幅する方法であって、増幅前に、標的核酸を含有する反応混合物を２本鎖２次構造の１つ以上の領域を有する１本鎖ＤＮＡオリゴヌクレオチドと接触させる工程を含み、ここで前記領域の少なくとも１つが少なくとも１つのウラシル塩基を含む、前記方法。
【請求項１２】
増幅前に、前記試料をウラシル−Ｎ−グリコシラーゼと接触させる工程をさらに含む、請求項１１に記載の方法。
【請求項１３】
前記試料をポリアミンと接触させる工程をさらに含む、請求項１１又は１２に記載の方法。
【請求項１４】
前記ポリアミンが、スペルミジン、スペルミン、及びトリメチレンジアミンから選択される、請求項１３に記載の方法。
【請求項１５】
標的核酸を増幅するためのキットであって、
（１）２本鎖２次構造の１つ以上の領域を有する１本鎖ＤＮＡオリゴヌクレオチドを含むＤＮＡポリメラーゼの可逆的阻害剤であって、前記領域の少なくとも１つが少なくとも１つのウラシル塩基を含む、前記可逆的阻害剤と、
（２）ウラシル−Ｎ−グリコシラーゼと、
（３）任意にスペルミジン、スペルミン、及びトリメチレンジアミンから選択されるポリアミンと
を含む、前記キット。
【請求項１６】
標的核酸を増幅するための反応混合物であって、
（１）２本鎖２次構造の１つ以上の領域を有する１本鎖ＤＮＡオリゴヌクレオチドを含む、ＤＮＡポリメラーゼの可逆的阻害剤であって、前記領域の少なくとも１つが少なくとも１つのウラシル塩基を含む、前記可逆的阻害剤と、
（２）ウラシル−Ｎ−グリコシラーゼと、
（３）任意にスペルミジン、スペルミン、及びトリメチレンジアミンから選択されるポリアミンと
を含む、前記反応混合物。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
微生物の集団から脂質を回収する方法であって、
（ａ）微生物の破砕を引き起こす条件下で１つまたは複数の酵素と微生物の集団を接触させることと；
（ｂ）破砕した微生物を濃縮することと；
（ｃ）塩の存在下及び有機溶媒の非存在下において、破砕した微生物から高温で脂質を抽出することと
を含む、方法。
【請求項２】
前記接触工程が５〜８．５のｐＨで遂行される、請求項１に記載の方法。
【請求項３】
前記接触工程が約５０℃〜約７０℃の温度で遂行される、請求項１または２に記載の方法。
【請求項４】
前記接触工程が１〜２０時間遂行される、請求項１〜３のいずれか一項に記載の方法。
【請求項５】
前記接触工程が１〜８時間遂行される、請求項４に記載の方法。
【請求項６】
前記酵素がプロテアーゼである、請求項１〜５のいずれか一項に記載の方法。
【請求項７】
前記酵素がアルカラーゼ２．４Ｌである、請求項６に記載の方法。
【請求項８】
前記酵素が０．００１〜０．４％の間の体積／体積の濃度である、請求項１〜７のいずれか一項に記載の方法。
【請求項９】
前記酵素が０．０５〜０．２％の間の体積／体積の濃度である、請求項８に記載の方法。
【請求項１０】
前記接触工程が、０．０５％〜０．２％の酵素の存在下において約５５℃で１〜８時間遂行される、請求項１〜９のいずれか一項に記載の方法。
【請求項１１】
前処理工程を更に含み、該前処理工程が前記接触工程の前に細胞を破砕することを含む、請求項１〜１０のいずれか一項に記載の方法。
【請求項１２】
前記濃縮工程が遠心分離を含む、請求項１〜１１のいずれか一項に記載の方法。
【請求項１３】
前記濃縮工程が２５％〜９０％の水の除去を含む、請求項１〜１２のいずれか一項に記載の方法。
【請求項１４】
前記濃縮工程が８５％の水の除去を含む、請求項１３に記載の方法。
【請求項１５】
前記抽出工程の間の高温が７５℃〜９５℃である、請求項１〜１４のいずれか一項に記載の方法。
【請求項１６】
前記抽出工程の間の高温が８５℃である、請求項１５に記載の方法。
【請求項１７】
前記抽出工程の間に添加される塩の濃度が１％〜５％である、請求項１〜１６のいずれか一項に記載の方法。
【請求項１８】
前記抽出工程の間に添加される塩の濃度が３％〜５％である、請求項１７に記載の方法。
【請求項１９】
前記抽出工程の間に添加される塩が硫酸ナトリウムである、請求項１〜１８のいずれか一項に記載の方法。
【請求項２０】
前記微生物の集団が、藻類、菌類、細菌及び原生生物からなる群から選択される、請求項１〜１９のいずれか一項に記載の方法。
【請求項２１】
前記微生物の集団がＴｈｒａｕｓｔｏｃｈｙｔｒｉｕｍ属、Ｓｃｈｉｚｏｃｈｙｔｒｉｕｍ属及びその混合物から選択される、請求項２０に記載の方法。
【請求項２２】
前記微生物の集団が、ＡＴＣＣアクセッション番号ＰＴＡ−６２４５として寄託されたＴｈｒａｕｓｔｏｃｈｙｔｒｉｕｍ属の種である、請求項２１に記載の方法。
【請求項２３】
前記脂質がドコサヘキサエン酸を含む、請求項１〜２２のいずれか一項に記載の方法。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
異なるＭＲスペクトルを有する少なくとも２種の化学種をＭＲ撮像する方法であって、
ａ）ＭＲデバイスの検査ボリューム内に位置付けされた対象物を、ＲＦパルスとスイッチ磁場勾配との撮像シーケンスにさらすことによって、２つ以上の異なるエコー時間にエコー信号を発生させるステップであって、前記撮像シーケンスが、反転ＲＦパルスと、それに続く、反転回復時間後の励起ＲＦパルスとを含む反転回復シーケンスである、ステップと、
ｂ）前記エコー信号を取得するステップと、
ｃ）取得された前記エコー信号に対する前記少なくとも２種の化学種の信号寄与を分離するステップと、
ｄ）前記化学種の少なくとも１種の前記信号寄与から、位相感応型ＭＲ画像を再構成するステップと
を含み、
ｅ）前記化学種の少なくとも１種の前記信号寄与から前記位相感応型ＭＲ画像を再構成する前記ステップが、（ｉ）極性とバックグランドフェージングとを区別すること、及び（ｉｉ）前記バックグランドフェージングに従った前記それぞれの化学種の前記信号寄与の位相補正を行うことを含む、
方法。
【請求項２】
ステップｃ）での前記信号寄与の前記分離が、主磁場Ｂ０の少なくとも空間的変化に従った、それぞれの前記エコー時間にわたる前記少なくとも２種の化学種の前記信号寄与の位相推移の予測を含む、請求項１に記載の方法。
【請求項３】
前記それぞれのエコー時間にわたる前記少なくとも２種の化学種の前記信号寄与の前記位相推移の前記予測が、前記信号寄与の位相を復調するために使用される、請求項２に記載の方法。
【請求項４】
前記少なくとも２種の化学種の前記信号寄与を分離する前記ステップにおいてディクソン技法が使用される、請求項１乃至３の何れか一項に記載の方法。
【請求項５】
前記バックグランドフェージングの推定のために領域拡張技法が使用される、請求項１に記載の方法。
【請求項６】
Ｂ０マップが、ディクソンアルゴリズムを使用して前記エコー信号から導出され、前記Ｂ０マップが、前記位相感応型ＭＲ画像を再構成する前記ステップにおいて、前記それぞれの化学種の前記信号寄与の前記バックグランドフェージングを予測するために使用される、請求項１又は５に記載の方法。
【請求項７】
請求項１乃至６の何れか一項に記載の方法を実施するためのＭＲデバイスであって、検査ボリューム内部で均一な定常磁場Ｂ０を発生させるための少なくとも１つの主磁石コイルと、前記検査ボリューム内部で異なる空間方向でスイッチ磁場勾配を発生させるための複数の勾配コイルと、前記検査ボリューム内部でＲＦパルスを発生させるため及び／又は前記検査ボリューム内に位置付けされた対象物からＭＲ信号を受信するための少なくとも１つのＲＦコイルと、時間的に連続するＲＦパルス及びスイッチ磁場勾配を制御するための制御ユニットと、前記受信されたＭＲ信号からＭＲ画像を再構成するための再構成ユニットとを含み、
ａ）ＭＲデバイスの検査ボリューム内に位置付けされた対象物を、ＲＦパルスとスイッチ磁場勾配との撮像シーケンスにさらすことによって、第１のエコー時間に一連の第１のエコー信号を発生させ、且つ第２のエコー時間に一連の第２のエコー信号を発生させることであって、前記撮像シーケンスが、反転ＲＦパルスと、それに続く、反転回復時間後の励起ＲＦパルスとを含む反転回復シーケンスであることと、
ｂ）前記エコー信号を取得することと、
ｃ）取得された前記エコー信号に対する前記少なくとも２種の化学種の信号寄与を分離することと、
ｄ）前記化学種の少なくとも１種の前記信号寄与から、位相感応型ＭＲ画像を再構成することと、
ｅ）前記化学種の少なくとも１種の前記信号寄与から前記位相感応型ＭＲ画像を再構成することにおいて、（ｉ）極性とバックグランドフェージングとを区別すること、及び（ｉｉ）前記バックグランドフェージングに従った前記それぞれの化学種の前記信号寄与の位相補正を行うことと
を実施する、ＭＲデバイス。
【請求項８】
ＭＲデバイス上で実行されるコンピュータプログラムであって、
ａ）ＲＦパルスとスイッチ磁場勾配との撮像シーケンスであって、反転ＲＦパルスと、それに続く、反転回復時間後の励起ＲＦパルスとを含む反転回復シーケンスである撮像シーケンスによって、第１のエコー時間に一連の第１のエコー信号を発生させ、且つ第２のエコー時間に一連の第２のエコー信号を発生させ、
ｂ）前記エコー信号を取得し、
ｃ）取得された前記エコー信号に対する前記少なくとも２種の化学種の信号寄与を分離し、
ｄ）前記化学種の少なくとも１種の前記信号寄与から、位相感応型ＭＲ画像を再構成し、及び
ｅ）前記化学種の少なくとも１種の前記信号寄与から前記位相感応型ＭＲ画像を再構成する際に、（ｉ）極性とバックグランドフェージングとを区別すること、及び（ｉｉ）前記バックグランドフェージングに従った前記それぞれの化学種の前記信号寄与の位相補正を行う
ための命令を含む、コンピュータプログラム。